(57)【特許請求の範囲】
【請求項１】
スイッチを備える操作端末器と負荷制御端末器とが信号線を介して伝送ユニットにそれぞれ接続されており、スイッチの操作に応じて前記操作端末器から送信される伝送信号に基づいて、前記伝送ユニットが、前記スイッチに関連付けられたアドレス情報と対応する負荷アドレスの前記負荷制御端末器を介して、当該負荷制御端末器に接続する負荷を制御する制御システムに用いられる操作端末器において、
第１のスイッチと、第２のスイッチとを含む操作部と、
オペレータが操作する外部装置から、前記第１のスイッチおよび前記第２のスイッチに割り当てるためのアドレス情報を含む設定情報を取得する取得部と、
前記取得部により取得された設定情報に基づいて、前記第１のスイッチと前記第２のスイッチとのそれぞれにアドレス情報の関連付けを行う設定部と、
前記第１のスイッチまたは前記第２のスイッチへの操作に対応して、当該スイッチに関連付けられたアドレス情報を前記伝送ユニットに送信する送信部とを有し、
前記アドレス情報は、同一のグループに含まれる複数の負荷をオン状態とオフ状態との間で交互に一括的に切替制御するグループ制御に対応するグループアドレスを含み、
前記設定部は、前記設定情報として前記第１のスイッチのみにグループアドレスが割り当てられている場合には、前記第１のスイッチを前記グループをオン状態に一括的に制御するスイッチとして設定するとともに、前記第２のスイッチを前記グループをオフ状態に一括的に制御するスイッチとして設定することを特徴とする操作端末器。
【請求項２】
前記設定情報は、前記第１のスイッチおよび前記第２のスイッチに割り当てるためのアドレス情報と、当該アドレス情報に関する入力タイプとを含み、
前記設定部は、前記設定情報として前記第１のスイッチのみにグループアドレスが割り当てられている場合には、その入力タイプが通常入力であることを条件に、前記第１のスイッチを前記グループアドレスに対するグループ制御用の切替操作スイッチとして設定し、前記入力タイプが接点入力であることを条件に、前記第１のスイッチを前記グループをオン状態に一括的に制御するスイッチとして設定するとともに、前記第２のスイッチを前記グループをオフ状態に一括的に制御するスイッチとして設定することを特徴とする請求項１に記載された操作端末器。
【発明の詳細な説明】
【技術分野】
【０００１】
本発明は、多重伝送方式によって伝送される所定の制御信号にて負荷を制御する制御システムに用いる操作端末器、および、この操作端末器にアドレス情報を設定するアドレス設定器に関する。
【背景技術】
【０００２】
従来より、スイッチを備える操作端末器と負荷制御端末器とが信号線を介して伝送ユニットにそれぞれ接続されており、スイッチの操作に応じて操作端末器から送信される伝送信号に基づいて、伝送ユニットが、スイッチに関連付けられたアドレス情報と対応する負荷アドレスの負荷制御端末器を介して、この負荷制御端末器に接続する負荷（例えば、照明装置）を制御する制御システムが知られている（例えば、特許文献１，２参照）。
【０００３】
この類の制御システムでは、スイッチに対して個別の照明装置に対応するアドレス情報（個別アドレス）を割り当てるだけでなく、グループとしてまとめた複数の照明装置に対応するアドレス情報（グループアドレス）を割り当てることにより、スイッチの操作に応じて、グループに該当する照明装置を一括して点灯または消灯するグループ制御を行うことができる。
【特許文献１】特開２００６−９３９８３号公報
【特許文献２】特開２００６−３４０１１０号公報
【発明の開示】
【発明が解決しようとする課題】
【０００４】
グループ制御は、グループの一括的な状態切り替えには有利であるが、個々の照明装置が個別的に制御され、グループ内で間引かれた状態にある場合には、一度きりのスイッチ操作ではグループ内の全点灯または全消灯へと移行させることができないという問題がある。そのため、再度スイッチ操作を行うといったように、不要な操作が増え、操作者が煩わしさ感じる虞がある。
【０００５】
本発明は、このような事情に鑑みてなされたものであり、その目的は、複数の操作を行うことなく、グループ内の負荷を所望の制御状態へと一括で移行させることにある。
【課題を解決するための手段】
【０００６】
かかる課題を解決するために、第１の発明は、スイッチを備える操作端末器と負荷制御端末器とが信号線を介して伝送ユニットにそれぞれ接続されており、スイッチの操作に応じて操作端末器から送信される伝送信号に基づいて、伝送ユニットが、スイッチに関連付けられたアドレス情報と対応する負荷アドレスの負荷制御端末器を介して、この負荷制御端末器に接続する負荷を制御する制御システムに用いられる操作端末器を提供する。この操作端末器は、第１のスイッチと、第２のスイッチとを含む操作部と、オペレータが操作する外部装置から、第１のスイッチおよび第２のスイッチに割り当てるためのアドレス情報を含む設定情報を取得する取得部と、取得部により取得された設定情報に基づいて、第１のスイッチと第２のスイッチとのそれぞれにアドレス情報の関連付けを行う設定部と、第１のスイッチまたは第２のスイッチへの操作に対応して、このスイッチに関連付けられたアドレス情報を伝送ユニットに送信する送信部とを有する。ここで、アドレス情報は、同一のグループに含まれる複数の負荷をオン状態とオフ状態との間で交互に一括的に切替制御するグループ制御に対応するグループアドレスを含む。この場合、設定部は、設定情報として第１のスイッチのみにグループアドレスが割り当てられている場合には、第１のスイッチをグループをオン状態に一括的に制御するスイッチとして設定するとともに、第２のスイッチをグループをオフ状態に一括的に制御するスイッチとして設定する。
【０００７】
ここで、第１の発明において、設定情報は、第１のスイッチおよび第２のスイッチに割り当てるためのアドレス情報と、このアドレス情報に関する入力タイプとを含むことが好ましい。この場合、設定部は、設定情報として第１のスイッチのみにグループアドレスが割り当てられている場合には、その入力タイプが通常入力であることを条件に、第１のスイッチをグループアドレスに対するグループ制御用の切替操作スイッチとして設定し、入力タイプが接点入力であることを条件に、第１のスイッチをグループをオン状態に一括的に制御するスイッチとして設定するとともに、第２のスイッチをグループをオフ状態に一括的に制御するスイッチとして設定する。
【０００８】
また、第２の発明は、負荷を遠隔的に制御する操作端末器が備える第１のスイッチおよび第２のスイッチに対して、制御用のアドレス情報を割り当てるアドレス設定器を提供する。このアドレス設定器は、オペレータによって操作可能な入力部と、入力部により入力された入力情報および処理内容の情報を表示する表示部と、第１のスイッチおよび第２のスイッチに割り当てるためのアドレス情報と、このアドレス情報に関する入力タイプとを、入力部を介して入力可能なフォームを表示部に表示される処理部と、フォームに入力されたアドレス情報と入力タイプとを含む設定情報を、操作端末器に対して送信する送信部とを有する。ここで、入力タイプは、通常入力と接点入力との間で選択可能である。
【０００９】
また、第３の発明は、スイッチを備える操作端末器と負荷制御端末器とが信号線を介して伝送ユニットにそれぞれ接続されており、スイッチの操作に応じて操作端末器から送信される伝送信号に基づいて、伝送ユニットが、スイッチに関連付けられたアドレス情報と対応する負荷アドレスの負荷制御端末器を介して、この負荷制御端末器に接続する負荷を制御する制御システムに用いられる操作端末器を提供する。この操作端末器は、第１のスイッチと、第２のスイッチとを含む操作部と、オペレータが操作する外部装置から、第１のスイッチおよび第２のスイッチに割り当てるためのアドレス情報を含む設定情報を取得する取得部と、取得部により取得された設定情報に基づいて、第１のスイッチと第２のスイッチとのそれぞれにアドレス情報の関連付けを行う設定部と、第１のスイッチまたは第２のスイッチへの操作に対応して、このスイッチに関連付けられたアドレス情報を伝送ユニットに送信する送信部とを有する。ここで、アドレス情報は、同一のグループに含まれる複数の負荷をオン状態とオフ状態との間で交互に一括的に切替制御するグループ制御に対応するグループアドレスを含む。この場合、設定部は、設定情報として、第１のスイッチおよび第２のスイッチのそれぞれに同一のグループアドレスが割り当てられている場合には、第１のスイッチをグループをオン状態に一括的に制御するスイッチとして設定するとともに、第２のスイッチをグループをオフ状態に一括的に制御するスイッチとして設定する。
【００１０】
この第３の発明において、設定部は、設定情報として、第１のスイッチおよび第２のスイッチのそれぞれに互いに異なるグループアドレスが割り当てられている場合には、第１のスイッチを一方のグループアドレスに対するグループ制御用の切替操作スイッチとして設定するとともに、第２のスイッチを他方のグループアドレスに対するグループ制御用の切替操作スイッチとして設定することが好ましい。
【発明の効果】
【００１１】
第１の発明によれば、第１のスイッチまたは第２のスイッチの一方へ、単一のグループアドレスのみを関連付けた場合には、第１のスイッチに対してオン状態への制御および第２のスイッチに対してオフ状態への制御が自動的に割り当てられるので、個々のスイッチによりグループアドレス内の全負荷を一度の操作で消灯または点灯することができる。これにより、不要な操作を抑制することができので、操作者が感じる煩わしさを軽減することができる。
【００１２】
また、第１の発明によれば、操作端末器がアドレス情報に関する入力タイプを認識することにより、この入力タイプの切り替えにより、第１および第２のスイッチに対するアドレス情報の関連付けを上述の如く専用的な仕様（第１のスイッチに対してグループのオン状態への制御および第２のスイッチに対してグループのオフ状態への制御）とすることもできるし、通常のグループ制御の仕様（第１または第２のスイッチに対してグループの切替制御）とすることもできる。これにより、操作端末器を専用的なスイッチとしてのみ利用せざるを得ないといった事態を抑制することができる。
【００１３】
第２の発明によれば、アドレス設定器がアドレス情報に関する入力タイプの設定可能な形態となるので、この入力タイプの切り替えにより、第１および第２のスイッチに対するアドレス情報の関連付けを上述の如く専用的な仕様（第１のスイッチに対してグループのオン状態への制御および第２のスイッチに対してグループのオフ状態への制御）とすることもできるし、通常のグループ制御の仕様（第１または第２のスイッチに対してグループの切替制御）とすることもできる。これにより、操作端末器を専用的なスイッチとしてのみ利用せざるを得ないといった事態を抑制することができる。
【００１４】
第３の発明によれば、操作端末器が、第１および第２のスイッチに対して同一のグループアドレスが関連付けられた場合には、アドレス情報の関連付けを上述の如く専用的な仕様（第１のスイッチに対してオン状態への制御および第２のスイッチに対してオフ状態への制御）とすることができる。このケースでは、アドレス設定器に変更を加えることなく、その効果を奏することができる。
【００１５】
また、第３の発明によれば、操作端末器が、第１および第２のスイッチに対してそれぞれ異なるグループアドレスが関連付けられた場合には、専用的な仕様以外にも、通常のグループ制御の仕様（第１または第２のスイッチに対してグループの切替制御）とすることもできる。これにより、操作端末器を専用的なスイッチとしてのみ利用せざるを得ないといった事態を抑制することができる。
【発明を実施するための最良の形態】
【００１６】
図１は、本発明の第１の実施形態にかかる照明制御システムを模式的に示す構成図である。照明制御システムは、伝送ユニット１０と、リレー制御用ターミナルユニット（以下「リレー制御用Ｔ／Ｕ」という）２０と、リレー２５と、リモコントランス３０と、操作端末器４０とを主体に構成されている。
【００１７】
リレー制御用Ｔ／Ｕ２０および操作端末器４０は、２線式の信号線を介して伝送ユニット１０と相互に接続されており、伝送ユニット１０との情報のやり取りは、信号線に多重伝送方式で伝送される伝送信号を通じて行われる。また、リレー制御用Ｔ／Ｕ２０には、リレー２５が接続されており、制御対象となる負荷である照明装置１は、このリレー２５を介してリレー制御用Ｔ／Ｕ２０と接続されている。
【００１８】
システム内に存在する照明装置１（正確には、その照明装置１が接続するリレー２５）は、負荷アドレスによって一意に特定することができる。具体的には、リレー制御用Ｔ／Ｕ２０には、負荷チャネル（Ｃｈ）と呼ばれる固有の識別子が割り当てられており、リレー制御用Ｔ／Ｕ２０に接続するリレー２５には、負荷ナンバー（Ｎｍ）と呼ばれる固有の識別子が割り当てられている。負荷チャネル（Ｃｈ）と、負荷ナンバー（Ｎｍ）とを組み合わせることにより、負荷アドレス（Ｃｈ−Ｎｍ（図１参照））が構成される。
【００１９】
本実施形態にかかる照明制御システムは、伝送ユニット１０が、操作端末器４０から送信される伝送信号に基づいて、リレー制御用Ｔ／Ｕ２０およびリレー２５を介して、照明装置１の状態を制御することができる。この照明制御システムでは、個別制御、グループ制御およびパターン制御といった様々な照明制御を行うことができる。個別制御は、単一の照明装置１を制御対象として、オン状態とオフ状態とを交互に切替制御する手法であり、グループ制御は、同一のグループに含まれる複数の照明装置１を制御対象として、オン状態とオフ状態と交互に一括的に切替制御する手法である。一方、パターン制御は、複数の照明装置１を制御対象として、それぞれの照明装置１に予め定められた所定の制御状態（以下「パターン状態」という）へと一括的に制御する手法である。
【００２０】
伝送ユニット１０は、内部のプロセッサの制御のもと、操作端末器４０からの伝送信号に基づいて、操作端末器４０（具体的には、その操作スイッチ４１）に関連付けられたアドレス情報から制御対象となる照明装置１を特定するとともに、当該照明装置１に対する制御状態を特定する。そして、伝送ユニット１０は、制御対象となる照明装置１と対応するリレー制御用Ｔ／Ｕ２０に対して、照明装置１のアドレス情報と、その制御状態とを制御指令として送信する。
【００２１】
このアドレス情報は、個別アドレス、グループアドレスまたはパターンアドレスを含む。個別アドレスは、個別制御の対象となる照明装置１を特定するための情報であり、負荷アドレスがこれに該当する（例えば、「０−１」など）。グループアドレスは、グループ制御の対象となるグループを特定するための情報であり、予め設定された個々のグループに付与された番号等がこれに該当する（例えば、「Ｇ１」など）。パターンアドレスは、パターン制御の対象となるパターンを特定するための情報であり、予め設定された個々のパターンに付与された番号等がこれに該当する（例えば、「Ｐ１」など）。
【００２２】
伝送ユニット１０は、個々のグループアドレス毎に、そのグループに割り当てられる照明装置１の負荷アドレスを示したグループ情報を保持している。そのため、伝送ユニット１０は、操作端末器４０からグループアドレスを取得した場合には、グループ情報を検索することで、このグループアドレスに該当する複数の照明装置１（負荷アドレス）を特定することができる。
【００２３】
また、伝送ユニット１０は、個々のパターンアドレス毎に、そのパターンに割り当てられる照明装置１の負荷アドレスと、その照明装置１のパターン状態（例えば、オン状態またはオフ状態）との対応関係を示したパターン情報を保持している。そのため、伝送ユニット１０は、操作端末器４０からパターンアドレスを取得した場合には、パターン情報を検索することで、このパターンアドレスに該当する複数の照明装置１（負荷アドレス）と、個々の照明装置１に対するパターン状態とを特定することができる。
【００２４】
リレー制御用Ｔ／Ｕ２０は、リレー２５の制御状態に応じて照明装置１の状態を制御する負荷制御端末器としての機能を担っている。リレー制御用Ｔ／Ｕ２０は、内部のプロセッサの制御のもと、伝送ユニット１０からの伝送信号に基づいて、自己に接続するリレー２５（本実施形態では、４つのリレー２５）のうち、制御対象となる照明装置１に対応するリレー２５に対して制御信号を送ることにより、リレー２５の状態を制御する。個々のリレー２５は、リレー制御用Ｔ／Ｕ２０に制御されて、ブレーカ電源などからの商用交流をオンまたはオフすることにより、照明装置１をオン状態（点灯状態）またはオフ状態（消灯状態）に制御する。
【００２５】
リモコントランス３０は、リレー制御用Ｔ／Ｕ２０およびリレー２５に駆動用の電力を供給する。
【００２６】
操作端末器４０は、制御対象となる照明装置１を制御するための制御指令を出力するための入力端末器としての機能を担っている。操作端末器４０は、室内や管理人室などの任意の壁面に設置されており、照明装置１を利用するユーザによってプッシュ操作が可能な端末器である。
【００２７】
図２は、操作端末器４０を模式的に示す説明図である。操作端末器４０は、照明装置１を利用するユーザが操作する複数の操作スイッチ４１と、操作スイッチ４１に対応する照明装置１の状態を報知する報知部４２と、後述するアドレス設定器５０から送信された設定情報を受信する受信部４３とを有する。同図に示す例では、操作スイッチ４１は、上下にレイアウトされた一対の操作スイッチ４１ａ，４１ｂによって構成されている。個々の操作スイッチ４１には、アドレス情報が関連付けられている。操作端末器４０は、受信部４３を介して、赤外線通信等を介してアドレス設定器５０から送信された設定情報を受信すると、内部のプロセッサの制御のもとに、個々のスイッチ４１ａ，４１ｂとアドレス情報との関連づけを行い、図示しないメモリ等の所定の記憶手段に記憶させる。報知部４２は、一対の操作スイッチ４１ａ，４１ｂのそれぞれに対応して設けられており、個々の報知部４２は、例えば、緑点灯用および赤点灯用の一対のＬＥＤ（Light Emitting Diode）から構成されている。
【００２８】
図３は、操作端末器４０の操作スイッチ４１ａ，ｂに対して割り当てるアドレス情報を設定するアドレス設定器５０を示す説明図である。アドレス設定器５０は、オペレータによって操作可能な入力部５１と、入力部５１により入力された入力情報および処理内容の情報を表示する表示部５２と、操作スイッチ４１ａ，４１ｂに割り当てるためのアドレス情報を入力部５１を介して入力可能なフォームを表示部５２に表示される処理部（内部のプロセッサ（図示せず））と、入力されたアドレス情報を含む設定情報を、操作端末器４０の受信部４３に対して送信する送信部５３とを有する。同図に示す例では（図３（ｂ）参照）、上側の操作スイッチ４１ａに対して「Ｇ１」に該当するグループアドレスを割り当て、かつ、下側の操作スイッチ４１ｂに対して「Ｇ２」に該当するグループアドレスが割り当てるための設定情報となっている。
【００２９】
操作端末器４０において、操作スイッチ４１にアドレス情報として個別アドレスまたはグループアドレスが関連付けられている場合、この操作スイッチ４１のプッシュ操作に応じて、アドレス情報に対応する照明装置１は、オン状態またはオフ状態の間で反転動作する。一方、操作スイッチ４１にアドレス情報としてパターンアドレスが関連付けられている場合、この操作スイッチ４１のプッシュ操作に応じて、アドレス情報に対応する個々の照明装置１は予め設定されたパターン状態へと移行する。
【００３０】
操作端末器４０において、個別アドレス（例えば、負荷アドレス「０−１」）が関連付けられた操作スイッチ４１が操作された場合、この操作スイッチ４１の操作に対応して、操作端末器４０から伝送ユニット１０に対して所定の伝送信号が送信される。伝送ユニット１０は、操作端末器４０との伝送信号のやり取りを通じて、アドレス情報と、操作スイッチ４１の操作状態（オン状態またはオフ状態）とを特定する。特定された情報は、伝送ユニット１０から負荷チャネル「０」のリレー制御用Ｔ／Ｕ２０に伝送され、この負荷チャネル「０」のリレー制御用Ｔ／Ｕ２０によって、自己に接続する負荷ナンバー「１」のリレー２５が、操作状態に応じて制御される。これにより、負荷アドレス「０−１」の照明装置１がオン状態またはオフ状態に制御される。一方、操作端末器４０は、内部のプロセッサの制御のもとに、その個別アドレスの照明装置１が点灯している場合、報知部４２の赤点灯を行い、その個別アドレスの照明装置１が消灯している場合、報知部４２の緑点灯を行う。
【００３１】
また、操作端末器４０において、複数の操作スイッチ４１のうち、グループアドレス（例えば、グループ「Ｇ１」）が関連付けられた操作スイッチ４１が操作された場合、この操作スイッチ４１の操作に対応して、操作端末器４０から伝送ユニット１０に対して所定の伝送信号が送信される。伝送ユニット１０は、操作端末器４０との伝送信号のやり取りを通じて、アドレス情報と、操作スイッチ４１の操作状態（オン状態またはオフ状態）とを特定する。伝送ユニット１０は、アドレス情報がグループアドレスの場合には、グループ情報を参照し、そのグループ「Ｇ１」に含まれる負荷アドレスを特定する（例えば、負荷アドレス「０−１」，「１−２」）。特定された情報は、伝送ユニット１０から負荷チャネル「０」および「１」のリレー制御用Ｔ／Ｕ２０に伝送される。そして、負荷チャネル「０」のリレー制御用Ｔ／Ｕ２０によって、自己に接続する負荷ナンバー「１」のリレー２５が、操作状態に応じて制御され、また、負荷チャネル「１」のリレー制御用Ｔ／Ｕ２０によって、自己に接続する負荷ナンバー「２」のリレー２５が、操作状態に応じて制御される。これにより、グループ「Ｇ１」に対応する照明装置１がオン状態（またはオフ状態）に一括的に切り替え制御される。一方、操作端末器４０は、基本的に、そのグループアドレスに該当する全ての照明装置１が点灯している場合、報知部４２の赤点灯を行い、それ以外の場合、報知部４２の緑点灯を行う。
【００３２】
さらに、操作端末器４０において、複数の操作スイッチ４１のうち、パターンアドレス（例えば、パターン「Ｐ１」）が関連付けられた操作スイッチ４１が操作された場合、この操作スイッチ４１の操作に対応して、操作端末器４０から伝送ユニット１０に対して所定の伝送信号が送信される。伝送ユニット１０は、操作端末器４０との伝送信号のやり取りを通じて、アドレス情報と、操作スイッチ４１の操作状態（オン状態）を特定する。伝送ユニット１０は、アドレス情報がパターンアドレスの場合には、パターン情報を参照し、そのグループ「Ｐ１」に含まれる負荷アドレスと（例えば、負荷アドレス「０−３」，「１−４」）、個々のパターン状態とを特定する。特定された情報は、伝送ユニット１０から負荷チャネル「０」および「１」のリレー制御用Ｔ／Ｕ２０に伝送される。そして、負荷チャネル「０」のリレー制御用Ｔ／Ｕ２０によって、自己に接続する負荷ナンバー「３」のリレー２５が、パターン状態に応じて制御され、また、負荷チャネル「１」のリレー制御用Ｔ／Ｕ２０によって、自己に接続する負荷ナンバー「４」のリレー２５が、パターン状態に応じて制御される。これにより、パターン「Ｐ１」に対応する照明装置１がパターン状態へと制御される。一方、操作端末器４０は、基本的に、そのパターンアドレスに該当する全ての照明装置１がパターン状態となっている場合、報知部４２の赤点灯を行い、それ以外の場合、報知部４２の緑点灯を行う。
【００３３】
図４を参照し、本実施形態の特徴の一つである操作端末器４０について説明する。この操作端末器４０は、個々の操作スイッチ４１ａ，４１ｂに対して個別にグループアドレスが設定されている場合、個々の操作スイッチ４１は、そのプッシュ操作に対応して、グループ内に含まれる照明装置１を反転制御する。ところで、設定情報として上側の操作スイッチ４１ａのみにグループアドレス（Ｇ１）が割り当てられている場合、操作端末器４０は、上側の操作スイッチ４１ａを、そのグループＧ１をオン状態に一括的に制御するスイッチとして設定する。また、操作端末器４０は、下側の操作スイッチ４１ｂを、そのグループＧ１をオフ状態に一括的に制御するスイッチとして設定する。この場合、操作端末器４０は、上側および下側の操作スイッチ４１ａ，４１ｂに対応する個々の報知部４２が互いに対応した点灯状態となるように制御する。
【００３４】
以下、具体的に説明する。まず、第１のケースとして、図５の左側に示すように、グループＧ１の照明装置（（ｂ）における丸印）が、図示しない個別制御用の操作スイッチ４１等によって部分的に間引いた状態で点灯させられているシーンを想定する。この場合、操作端末器４０の報知部４２は、上側および下側の操作スイッチ４１ａ，４１ｂともに緑点灯となる。ここで、操作者がグループＧ１を全消灯したい場合には、下側の操作スイッチ４１ｂを一度プッシュ操作するのみで、図５の右側に示すように、グループＧ１に該当する照明装置１を一括して全消灯することができる。この場合、操作端末器４０の報知部４２は、上側および下側の操作スイッチ４１ａ，４１ｂともに緑点灯のままとなる。
【００３５】
つぎに、第２のケースとして、図６の左側に示すように、グループＧ１の照明装置（（ｂ）における丸印）が、図示しない個別制御用の操作スイッチ４１等によって部分的に間引いた状態で消灯させられているシーンを想定する。この場合、操作端末器４０の報知部４２は、上側および下側の操作スイッチ４１ａ，４１ｂともに赤点灯となる。ここで、操作者がグループＧ１を全消灯したい場合には、下側の操作スイッチ４１ｂを一度プッシュ操作するのみで、図６の右側に示すように、グループＧ１に該当する照明装置１を一括して全消灯することができる。この場合、操作端末器４０の報知部４２は、上側および下側の操作スイッチ４１ａ，４１ｂともに緑点灯に切り替わる。
【００３６】
つぎに、第３のケースとして、図７の左側に示すように、グループＧ１の照明装置（（ｂ）における丸印）が、図示しない個別制御用の操作スイッチ４１等によって部分的に間引いた状態で点灯させられているシーンを想定する。この場合、操作端末器４０の報知部４２は、上側および下側の操作スイッチ４１ａ，４１ｂともに緑点灯となる。ここで、操作者がグループＧ１を全点灯したい場合には、上側の操作スイッチ４１ａを一度プッシュ操作するのみで、図７の右側に示すように、グループＧ１に該当する照明装置１を一括して全点灯することができる。この場合、操作端末器４０の報知部４２は、上側および下側の操作スイッチ４１ａ，４１ｂともに赤点灯に切り替わる。
【００３７】
つぎに、第４のケースとして、図８の左側に示すように、グループＧ１の照明装置（（ｂ）における丸印）が、図示しない個別制御用の操作スイッチ４１等によって部分的に間引いた状態で消灯させられているシーンを想定する。この場合、操作端末器４０の報知部４２は、上側および下側の操作スイッチ４１ａ，４１ｂともに赤点灯となる。ここで、操作者がグループＧ１を全消灯したい場合には、上側の操作スイッチ４１ａを一度プッシュ操作するのみで、図８の右側に示すように、グループＧ１に該当する照明装置１を一括して全点灯することができる。この場合、操作端末器４０の報知部４２は、上側および下側の操作スイッチ４１ａ，４１ｂともに赤点灯のままとなる。
【００３８】
ここで、比較例として、図９に示すように、上側の操作スイッチ４１ａおよび下側の操作スイッチ４１ｂのそれぞれに、互いに異なるグループアドレスＧ１，Ｇ２が割り当てられているとする。この場合には、上側の操作スイッチ４１ａは、グループＧ１に対するグループ制御用の切替操作スイッチとして設定され、下側の操作スイッチ４１ｂは、グループＧ２に対するグループ制御用の切替操作スイッチとして設定される。
【００３９】
まず、第１のケースとして、図１０の左側に示すように、グループＧ１の照明装置（（ｂ）における丸印）が、図示しない個別制御用の操作スイッチ４１等によって部分的に間引いた状態で点灯させられているシーンを想定する。この場合、上側の操作スイッチ４１ａの報知部４２は緑点灯となる。ここで、操作者がグループＧ１を全消灯したい場合には、上側の操作スイッチ４１ａを一度プッシュ操作して、図１０の中央に示すように、グループＧ１の負荷を全点灯させる必要がある。これにより、上側の操作スイッチ４１ａの報知部４２は赤点灯となる。なぜならば、現在の操作スイッチ４１ａはグループＧ１の反転操作を行う切替操作スイッチとして設定されており、その状態が全消灯の状態となっているからである。そして、上側の操作スイッチ４１ａを再度プッシュ操作して、図１０の右側に示すように、グループＧ１の負荷を全消灯させる。この場合、上側の操作スイッチ４１ａの報知部４２は緑点灯となる。
【００４０】
つぎに、第２のケースとして、図１１の左側に示すように、グループＧ１の照明装置（（ｂ）における丸印）が、図示しない個別制御用の操作スイッチ４１等によって部分的に間引いた状態で消灯させられているシーンを想定する。この場合、上側の操作スイッチ４１ａの報知部４２は赤点灯となっている。ここで、操作者がグループＧ１を全点灯したい場合には、上側の操作スイッチ４１ａを一度プッシュ操作して、図１１の中央に示すように、グループＧ１の負荷を全消灯させる必要がある。この場合、上側の操作スイッチ４１ａの報知部４２は緑点灯となる。なぜならば、現在の操作スイッチ４１ａはグループＧ１の反転操作を行う切替操作スイッチとして設定されており、その状態が全点灯の状態となっているからである。そして、上側の操作スイッチ４１ａを再度プッシュ操作して、図１０の右側に示すように、グループＧ１の負荷を全点灯させる。この場合、上側の操作スイッチ４１ａの報知部４２は赤点灯となる。
【００４１】
このように本実施形態によれば、不要な操作を行わずして、グループアドレスに該当する全負荷を一度の操作で消灯または点灯することができる。これにより、不要な操作を抑制することができので、操作者が感じる煩わしさを軽減することができる。
【００４２】
（第２の実施形態）
図１２は、第２の実施形態にかかるアドレス設定の手法について説明する説明図である。この第２の実施形態において、操作端末器４０は、設定情報として上側の操作スイッチ４１ａのみにグループアドレス（Ｇ１）が割り当てられている場合には、設定情報の一つである入力タイプが「接点（入力）」であることを条件として、上側の操作スイッチ４１ａを、そのグループＧ１をオン状態に一括的に制御するスイッチとして設定し、また、下側の操作スイッチ４１ｂを、そのグループＧ１をオフ状態に一括的に制御するスイッチとして設定する。
【００４３】
このため、アドレス設定器５０には、上側の操作スイッチ４１ａおよび下側の操作スイッチ４１ｂに割り当てるためのアドレス情報と、このアドレス情報（特に、グループアドレス）に関する入力タイプとを、入力部５１を介して入力可能なフォームを表示部５２に表示させることができるようになっている。この入力タイプは「接点（入力）」以外にも、「通常（入力）」が選択可能となっており、この「通常（入力）」が選択された場合には、操作端末器４０は、上側の操作スイッチ４１ａをグループＧ１に対するグループ制御用の切替操作スイッチとして設定する。
【００４４】
上述した第１の実施形態に示す操作端末器４０によれば、上述した動作を実行する専用のスイッチとしなければならないが、入力タイプを「接点（入力）」と「通常（入力）」との間で切替可能としたことにより、第１の実施形態に示すような専用的な仕様とすることもできるし、通常のグループ制御の仕様とすることもできる。
【００４５】
（第３の実施形態）
図１３は、第３の実施形態にかかるアドレス設定の手法について説明する説明図である。この第３の実施形態において、操作端末器４０は、設定情報において、上側の操作スイッチ４１ａおよび下側の操作スイッチ４１ｂのそれぞれに、同一のグループアドレス（Ｇ１）が割り当てられている場合には、上側の操作スイッチ４１ａを、そのグループＧ１をオン状態に一括的に制御するスイッチとして設定し、また、下側の操作スイッチ４１ｂを、そのグループＧ１をオフ状態に一括的に制御するスイッチとして設定する。
【００４６】
ただし、上側の操作スイッチ４１ａおよび下側の操作スイッチ４１ｂのそれぞれに、異なるグループアドレス（Ｇ１，Ｇ２）が割り当てられている場合には、上側の操作スイッチ４１ａを、グループＧ１に対するグループ制御用の切替操作スイッチとして設定し、また、下側の操作スイッチ４１ｂを、グループＧ２に対するグループ制御用の切替操作スイッチとして設定する。
【００４７】
第１の実施形態に示す操作端末器４０によれば、上述した動作を実行する専用のスイッチとしなければならないが、入力タイプを「接点（入力）」と「通常（入力）」との間で切替可能としたことにより、第１の実施形態に示すような専用的な仕様とすることもできるし、通常のグループ制御の仕様とすることもできる。また、第２の実施形態によれば、アドレス設定器５０に、設定情報として入力タイプを新設する必要があるが、本実施形態によれば、アドレス設定器５０に変更を加えることなく、第２の実施形態と同様の効果を奏することができる。
【００４８】
以上、本発明の実施形態にかかる照明制御システム、操作端末器４０およびアドレス設定器５０について説明したが、本発明は上述した実施形態に限定されることなく、その発明の範囲内において種々の変形が可能である。
【図面の簡単な説明】
【００４９】
【図１】第１の実施形態にかかる照明制御システムを模式的に示す構成図
【図２】操作端末器４０を模式的に示す説明図
【図３】操作端末器４０の操作スイッチ４１ａ，ｂに対して割り当てるアドレス情報を設定するアドレス設定器５０を示す説明図
【図４】第１の実施形態にかかる操作端末器４０の説明図
【図５】操作端末器４０およぶグループの説明図
【図６】操作端末器４０およぶグループの説明図
【図７】操作端末器４０およぶグループの説明図
【図８】操作端末器４０およぶグループの説明図
【図９】操作端末器４０の別の説明図
【図１０】操作端末器４０およぶグループの比較例として説明図
【図１１】操作端末器４０およぶグループの比較例として説明図
【図１２】第２の実施形態にかかる操作端末器４０の説明図
【図１３】第３の実施形態にかかる操作端末器４０の説明図
【符号の説明】
【００５０】
１    照明装置
１０    伝送ユニット
２０    リレー制御用Ｔ／Ｕ
２５    リレー
３０    リモコントランス
４０    操作端末器
４１    操作スイッチ
４１ａ  操作スイッチ
４１ｂ  操作スイッチ
４２    報知部
４３    受信部
５０    アドレス設定器
５１    入力部
５２    表示部
５３    送信部
【図１】
0004990742.tif 000002
【図２】
0004990742.tif 000003
【図３】
0004990742.tif 000004
【図４】
0004990742.tif 000005
【図５】
0004990742.tif 000006
【図６】
0004990742.tif 000007
【図７】
0004990742.tif 000008
【図８】
0004990742.tif 000009
【図９】
0004990742.tif 000010
【図１０】
0004990742.tif 000011
【図１１】
0004990742.tif 000012
【図１２】
0004990742.tif 000013
【図１３】
0004990742.tif 000014